(57)【要約】      （修正有）【課題】簡単かつ確実に固定することができる足場用幅木および足場用幅木固定構造を提供する。【解決手段】本考案の足場用幅木１０は、仮設足場１における踏板２０の側縁２０ａ、２０ｂに沿って立設される側面部１１と、側面部１１に対して略直角に設けられ、側面部１１の長手方向に沿って所定のピッチで複数の孔１２ｈが設けられた上面部１２と、を備えたことを特徴とする。足場用幅木１０において、上面部１２の孔１２ｈは、仮設足場１の支柱２に取り付けられるクランプ５０のフック５２を挿入可能に構成されている。【選択図】図１
0003204411.tif 000002
【実用新案登録請求の範囲】
【請求項１】
仮設足場における踏板の側縁に沿って配置される側面部と、
前記側面部に対して略直角に設けられ、前記側面部の長手方向に沿って所定のピッチで複数の孔が設けられた上面部と、
を備えたことを特徴とする足場用幅木。
【請求項２】
前記上面部の前記孔は、前記仮設足場の支柱に取り付けられるクランプのフックを挿入可能に構成された請求項１記載の足場用幅木。
【請求項３】
前記側面部と前記上面部とは一体に形成され、
前記長手方向にみて、前記側面部と前記上面部とにより略Ｌ字型が構成された請求項１または２に記載の足場用幅木。
【請求項４】
複数本の支柱の間に架設される踏板の側縁に沿って足場用幅木を固定するための足場用幅木固定構造であって、
前記支柱に着脱自在に固定されるクランプ本体と、前記クランプ本体から延出するフックとを有するクランプと、
前記踏板の前記側縁に沿って配置される側面部と、前記側面部に対して略直角に設けられ、前記側面部の長手方向に沿って所定のピッチで複数の孔が設けられた上面部とを有する足場用幅木と、を備え、
前記支柱に取り付けられた前記クランプの前記フックを、前記上面部の前記孔に挿入することによって、前記足場用幅木が前記支柱に対して固定されることを特徴とする足場用幅木固定構造。
【請求項５】
前記踏板の短手方向に立設される２本の前記支柱の間に前記踏板を支持するブラケットが設けられ、
前記足場用幅木は、前記クランプと前記ブラケットとの間で挟持される請求項４記載の足場用幅木固定構造。
【請求項６】
前記足場用幅木は、前記フックに螺合される請求項４または５に記載の足場用幅木固定構造。
【請求項７】
複数の前記足場用幅木が前記長手方向に配置され、互いの端部を重ね合わせた状態で、前記複数の足場用幅木が１つの前記クランプによって固定される請求項４〜６のいずれか１つに記載の足場用幅木固定構造。
【請求項８】
複数本の支柱の間に架設される踏板の側縁に沿って足場用幅木を固定するための足場用幅木固定構造であって、
前記踏板の前記側縁に沿って配置される側面部と、前記側面部に対して略直角に設けられ、前記側面部の長手方向に沿って所定のピッチで複数の孔が設けられた上面部とを有する足場用幅木と、
分割開閉型の環状に構成されると共に締め付けを調整できる締結具を備えることによって前記支柱の所望の位置に単独で固着できるクランプ本体と、前記クランプ本体から延出し、前記所定のピッチ分だけ離間して配置された２本のフックとを有するクランプと、
を備え、
少なくとも前記２本の支柱にそれぞれ取り付けられた前記クランプの前記２本のフックの全てを、前記足場用幅木の上面部の前記孔に挿入することによって、前記足場用幅木が前記支柱に対して固定されることを特徴とする足場用幅木固定構造。
【考案の詳細な説明】
【技術分野】
【０００１】
本考案は、足場用幅木および幅木固定構造に関し、より詳しくは、仮設足場の足場板の側縁部に簡単かつ確実に設置可能な足場用幅木およびその幅木を固定する幅木固定構造に関する。
【背景技術】
【０００２】
建築現場や工事現場などに仮設足場を設ける場合、複数の支柱や桟によって建枠を構成し、足場となる踏板を架設するとともに、手摺、筋交、幅木、養生シートなどが取り付けられる。このような仮設足場においては、設置現場の状況に応じて資材を適宜組み合わせ、安全かつ効率良く設置できることが望まれる。
【０００３】
特許文献１には、幅木を長手方向に伸縮自在に構成した足場用幅木装置が開示される。これにより、仮設足場の建枠のスパンが種々異なっても、その仮設足場に対して共通して対応できる足場用幅木装置を提供している。
【０００４】
特許文献２には、幅木本体の下端部分に、踏み板の側縁部と建枠との間に形成される隙間を覆うためのふさぎ板を設けた足場用幅木が開示される。このふさぎ板を、幅木本体と重なるような垂直状態から踏板側に倒した水平状態とするように起伏自在に取り付けることで、管理および搬送に際するスペース的合理性を図っている。
【０００５】
特許文献３、４では、仮設足場用の幅木を固定する構造として、幅木を支柱側に押圧するフックによる固定具が開示されている。
【先行技術文献】
【特許文献】
【０００６】
【特許文献１】特開２０１２−０１７５９６号公報
【特許文献２】特開２０１２−１２７０９９号公報
【特許文献３】実開平７−４６７９号公報
【特許文献４】実用新案登録第３１７５９２４号公報
【考案の概要】
【考案が解決しようとする課題】
【０００７】
しかしながら、いずれの技術においても、仮設足場の踏板の側縁に沿って幅木を簡単かつ確実に固定できる構造ではない。例えば、幅木をフックに掛けて支柱側に押圧する固定具では、簡単に取り付けはできるものの、幅木の長手方向への固定が不十分になる。また、ボルトおよびナットで固定する構造では、設置位置の調整に手間が掛かるとともに、様々な現場の状況に対応しにくいという問題が生じる。
【０００８】
本考案の目的は、簡単かつ確実に固定することができる足場用幅木および足場用幅木固定構造を提供することである。
【課題を解決するための手段】
【０００９】
上記課題を解決するため、本考案の足場用幅木は、仮設足場における踏板の側縁に沿って配置される側面部と、側面部に対して略直角に設けられ、側面部の長手方向に沿って所定のピッチで複数の孔が設けられた上面部と、を備えたことを特徴とする。このような構成によれば、上面部に長手方向に沿って所定のピッチで設けられた複数の孔を利用して、足場用幅木を簡単かつ確実に固定することができる。
【００１０】
本考案の足場用幅木において、上面部の孔は、仮設足場の支柱に取り付けられるクランプのフックを挿入可能に構成されている。これにより、クランプのフックを孔に挿入するだけで足場用幅木を支柱に固定できるとともに、長手方向の位置決めを行うことができる。
【００１１】
本考案の足場用幅木において、側面部と上面部とは一体に形成され、長手方向にみて、側面部と上面部とにより略Ｌ字型が構成されていてもよい。これにより、足場用幅木を１枚の板材の折り曲げによって簡単に形成することができる。
【００１２】
本考案は、複数本の支柱の間に架設される踏板の側縁に沿って足場用幅木を固定するための足場用幅木固定構造であって、支柱に着脱自在に固定されるクランプ本体と、クランプ本体から延出するフックとを有するクランプと、踏板の側縁に沿って配置される側面部と、側面部に対して略直角に設けられ、側面部の長手方向に沿って所定のピッチで複数の孔が設けられた上面部とを有する足場用幅木と、を備え、支柱に取り付けられたクランプのフックを、上面部の孔に挿入することによって、足場用幅木が支柱に対して固定されることを特徴とする。
【００１３】
このような構成によれば、クランプ本体を支柱に固定し、クランプのフックを上面部の孔に挿入するだけで、足場用幅木を支柱に固定するとともに、長手方向の位置決めを行うことができる。
【００１４】
本考案の足場用幅木固定構造において、踏板の短手方向に立設される２本の前記支柱の間に踏板を支持するブラケットが設けられ、足場用幅木は、クランプとブラケットとの間で挟持されていてもよい。これにより、足場用幅木をブラケットの上に載せた状態で、上からクランプで押さえるように足場用幅木を固定することができる。
【００１５】
本考案の足場用幅木固定構造において、足場用幅木は、フックに螺合されてもよい。これにより、足場用幅木とクランプとを確実に締結固定することができる。
【００１６】
本考案の足場用幅木固定構造において、複数の足場用幅木が長手方向に配置され、互いの端部が重ね合わされた状態で、複数の足場用幅木が１つのクランプによって固定されてもよい。これにより、複数の足場用幅木を長手方向に配置した状態で１つのクランプによって固定することができる。また、複数の足場用幅木の互いの重なり合いの量によって種々の長さに合わせた幅木の設置を行うことができる。
【考案の効果】
【００１７】
本考案によれば、簡単かつ確実に固定することができる足場用幅木および足場用幅木固定構造を提供することが可能になる。
【図面の簡単な説明】
【００１８】
【図１】本実施形態に係る足場用幅木を説明する斜視図である。
【図２】（ａ）は、本実施形態に係る足場用幅木の全体を例示する斜視図、（ｂ）は足場用幅木の一部拡大斜視図である。
【図３】本実施形態に係る足場用幅木の固定構造（その１）を例示する斜視図である。
【図４】本実施形態に係る足場用幅木の固定構造（その２）を例示する斜視図である。
【図５】複数の足場用幅木を並べて固定する例を示す斜視図である。
【図６】足場用幅木の第２の実施形態を示した全体斜視図である。
【考案を実施するための形態】
【００１９】
以下、本考案の実施形態を図面に基づいて説明する。なお、以下の説明では、同一の部材には同一の符号を付し、一度説明した部材については適宜その説明を省略する。
【００２０】
［足場用幅木の構造］
図１に示すように、仮設足場１は、設置場所に立設される複数本の支柱２と、複数本の支柱２の間に設けられる横桟３および縦桟４とを備え、これらによって建枠が構成される。横桟３は長手方向に並ぶ２本の支柱２の間をつなぐように設けられ、縦桟４は短手方向に並ぶ２本の支柱２の間をつなぐように設けられる。
【００２１】
また、横桟３と平行に２本の支柱２の間をつなぐように手摺５が設けられ、縦桟４と平行に２本の支柱２の間をつなぐようにブラケット６が設けられる。このブラケット６には足場となる踏板２０が架設される。
【００２２】
本実施形態に係る足場用幅木１０は、踏板２０の横（例えば、両脇）に設けられ、手摺５とともに仮設足場１の安全性確保の役目を果たす。一般に、踏板２０は長い辺（長手）である側縁２０ａと短い辺（短手）である側縁２０ｂとを有する。足場用幅木１０は、主に長手の側縁２０ａに沿って配置されるが、短手の側縁２０ｂに沿って配置されてもよい。本実施形態では、長手の側縁２０ａに沿って足場用幅木１０が配置される場合を例として説明する。足場用幅木１０は、側面部１１と、上面部１２とを有する。側面部１１は踏板２０の側縁２０ａに沿って配置される。上面部１２は、側面部１１に対して略直角に設けられる。
【００２３】
図２（ａ）および（ｂ）に示すように、側面部１１と上面部１２とは一体に形成されていてもよい。これにより、足場用幅木１０を長手方向にみて、側面部１１と上面部１２とにより略Ｌ字型が構成される。足場用幅木１０は、鋼板やアルミニウム等によって形成され、長方形型（長尺状）の１枚板の長手辺に沿った端部を略直角に折り曲げることで、略Ｌ字型の側面部１１および上面部１２が形成される。
【００２４】
足場用幅木１０の上面部１２には、長手方向に沿って所定のピッチで複数の孔１２ｈが設けられる。上面部１２の孔１２ｈは、仮設足場１の支柱２に取り付けられるクランプ５０のフック５２を挿入可能な大きさに構成される。図１に示す例では、長手方向に並ぶ２本の支柱２に足場用幅木１０が渡され、それぞれの支柱２に取り付けられたクランプ５０のフック５２を孔１２ｈに挿入することによって足場用幅木１０が固定される。
【００２５】
上面部１２には複数の孔１２ｈが設けられているため、足場用幅木１０を現場の状況に合わせて適宜の位置に配置した状態で、クランプ５０との位置関係から適当な孔１２ｈにクランプ５０のフック５２を挿入して固定することができる。
【００２６】
［足場用幅木固定構造］
図３に示すように、足場用幅木１０は、支柱２に取り付けられたクランプ５０のフック５２を上面部１２の孔１２ｈに挿入することによって固定される。クランプ５０は、クランプ本体５１とフック５２とを有する。クランプ本体５１は分割開閉型の環状部材であり、開いた状態で支柱２に被せ、閉じた状態でボルトおよびナットによる締結具５５で支柱２に固定される。フック５２はクランプ本体５１から延出して設けられる。図３に示す例では、２本のピン５２１が下向きに延出する。孔１２ｈのピッチは、この２本のピン５２１のピッチと合わせられる。
【００２７】
足場用幅木１０を固定するには、先ず、足場用幅木１０をブラケット６の上に載せるようにして配置する。図１に示すように、足場用幅木１０は２つのブラケット６の上に跨がるように踏板２０の側縁２０ａに沿って配置される。
【００２８】
次に、クランプ５０を支柱２に取り付け、足場用幅木１０の上から孔１２ｈにフック５２のピン５２１を差し込む。そして、締結具５５を締めてクランプ５０を支柱２に固定する。これにより、足場用幅木１０は、ブラケット６の上に載った状態で上からクランプ５０のフック５２によって押さえられるように固定される。すなわち、足場用幅木１０は、ブラケット６とクランプ５０との間で挟持される状態になる。
【００２９】
足場用幅木１０の左右の２箇所でクランプ５０によって固定することで、足場用幅木１０が確実に固定される。また、クランプ５０によって固定する際、孔１２ｈにピン５２１が差し込まれるため、足場用幅木１０の長手方向の位置決めが行われ、長手方向へのずれを防止することができる。
【００３０】
図４に示す足場用幅木１０の固定構造は、図３に示す固定構造のクランプ５０の上下を反対にして足場用幅木１０を固定している。すなわち、クランプ５０のフック５２を上向きにして支柱２に取り付け、上向きになったフック５２のピン５２１に上面部１２の孔１２ｈを引っ掛けるように通す。これにより、足場用幅木１０がフック５２に吊り下げられるように支持される。
【００３１】
踏板２０の側縁２０ａに沿って足場用幅木１０を取り付けるには、長手方向に並ぶ２本の支柱２にそれぞれクランプ５０を取り付け、足場用幅木１０の左右端をクランプ５０のフック５２で吊り下げるようにして支持する。これにより、足場用幅木１０は２つのクランプ５０で横長に支持され、踏板２０の側縁２０ａに沿って取り付けられる。
【００３２】
フック５２のピン５２１には必要に応じてねじ山を設けておいてもよい。この場合、フック５２のピン５２１を孔１２ｈに通した後、例えば蝶ねじ５３によって締め付け固定する。これにより、足場用幅木１０はフック５２に吊り下げされた状態で、上方に持ち上がることなく確実に締結固定される。
【００３３】
図４に示す固定構造では、足場用幅木１０の下を支える部材（例えば、ブラケット６）がない位置でも足場用幅木１０を固定することができる。
【００３４】
本実施形態の足場用幅木１０では、上面部１２に長手方向にそって複数の孔１２ｈが設けられているため、孔１２ｈのピッチで足場用幅木１０の長手方向の取り付け位置を調整することができる。また、支柱２の位置や間隔、支柱２に取り付けるクランプ５０の位置によって適した孔１２ｈの位置を選択してフック５２のピン５２１を孔１２ｈに通し、足場用幅木１０を支持することができる。したがって、現場の状況に応じて臨機応変に足場用幅木１０の取り付け位置や固定位置を調整することが可能になる。
【００３５】
図５に示す固定構造では、複数の足場用幅木１０を長手方向に配置した状態で固定する構造である。図５に示す例では２つの足場用幅木１０（Ａ）および１０（Ｂ）が長手方向に並べられる。この場合、２つの足場用幅木１０（Ａ）および１０（Ｂ）の互いの端部を重ね合わせた状態で、１つのクランプ５０によって２つの足場用幅木１０（Ａ）および１０（Ｂ）を一括固定する。
【００３６】
具体的には、２つの足場用幅木１０（Ａ）および１０（Ｂ）の互いの端部を重ね合わせ、この重ね合わせた領域Ｓにおいて、互いの孔１２ｈの位置を合わせるようにする。そして、上下に重なる孔１２ｈにフック５２のピン５２１を挿入し、この状態でクランプ５０を支柱２に固定する。これにより、１つのクランプ５０で長手方向に並ぶ２つの足場用幅木１０（Ａ）および１０（Ｂ）を一括して固定することができる。
【００３７】
２つの足場用幅木１０（Ａ）および１０（Ｂ）の重なる領域Ｓの長さを調整すれば、全体としての足場用幅木１０の長さを調整することができる。なお、図５では、フック５２のピン５２１を上から孔１２ｈに通す例を示したが、図４に示すようにピン５２１で２つの足場用幅木１０（Ａ）および１０（Ｂ）を吊り下げるようにしたり、吊り下げた状態で蝶ねじ５３で固定したりしてもよい。
【００３８】
また、図５では２つの足場用幅木１０（Ａ）および１０（Ｂ）を固定する例を示したが、３つ以上の足場用幅木１０を並べる場合も、隣り合う２つの足場用幅木１０の互いの端部を重ね合わせ、１つのクランプ５０で固定するようにすればよい。
【００３９】
以上説明したように、実施形態によれば、簡単かつ確実に固定することができる足場用幅木１０および足場用幅木１０の固定構造を提供することが可能になる。
【００４０】
なお、上記に本実施形態を説明したが、本考案はこれらの例に限定されるものではない。例えば、クランプ５０のフック５２として２本のピン５２１を備えるものを示したが、１本のピン５２１を備えるフック５２を用いてもよい。また、前述の実施形態に対して、当業者が適宜、構成要素の追加、削除、設計変更を行ったものも、本考案の要旨を備えている限り、本考案の範囲に含有される。
【００４１】
また、図６に示しているように、足場用幅木１０の側面部１１の下端側を、所望の角度に折り曲げるような構成を採用することも可能である。このような構成とすれば、踏板２０との隙間を埋めることができる。
【符号の説明】
【００４２】
１…仮設足場
２…支柱
３…横桟
４…縦桟
５…手摺
６…ブラケット
１０…足場用幅木
１１…側面部
１２…上面部
１２ｈ…孔
２０…踏板
２０ａ、２０ｂ…側縁
５０…クランプ
５１…クランプ本体
５２…フック
５３…蝶ねじ
５５…締結具
５２１…ピン
【図１】
0003204411.tif 000003
【図２】
0003204411.tif 000004
【図３】
0003204411.tif 000005
【図４】
0003204411.tif 000006
【図５】
0003204411.tif 000007
【図６】
0003204411.tif 000008